(57)【要約】      （修正有）【課題】キャッピング時の蓋の傾動が回避できるチャックの提供。【解決手段】スカート壁の外周面は第一の領域と第二の領域とが交互に存在し、第一の領域においてはα度の角度間隔をおいて多数の突条４２が形成され、第二の領域においては２α度の角度間隔をおいて多数の突条が形成されている合成樹脂製容器蓋を、容器の口頸部に被嵌し閉方向に回転せしめる容器蓋装着装置に適用されるチャックにおいて、環状部材の係止突条６８がスカート壁に形成されている突条４２の１個の周方向中心に対向して位置することを確実にする為、環状部材に配設されている孔の各々の半径方向内側端を規定する円の中心軸線を、係止突条６８の周方向中心に対して周方向にα／４度変位せしめる。【選択図】図８
2016088530.tif 000002
【特許請求の範囲】
【請求項１】
円形天面壁と該天面壁の周縁から垂下する円筒形スカート壁とを有し、該スカート壁の内周面には雌螺条が形成され、該スカート壁の外周面は２ｎ個、ｎは２以上の自然数、の領域に区画されていて、第一の領域と第二の領域とが交互に存在し、該第一の領域においてはα度の角度間隔をおいて多数の突条が形成され、該第二の領域においては２α度の角度間隔をおいて多数の突条が形成されている合成樹脂製容器蓋を、容器の口頸部に被嵌し閉方向に回転せしめる容器蓋装着装置に適用されるチャックであって、
下面が開放された容器蓋収容空間を規定する環状部材から構成され、該環状部材は上方に向かって半径が漸次減少する円錐台形状の係止内周面を有し、該係止内周面には等角度間隔をおいて軸線方向に延びる多数の係止突条が形成されており、該環状部材の下部には周方向に等間隔をおいて半径方向に貫通する複数個の孔が形成されていて、該孔の各々には半径方向に移動自在に球が配置されており、該孔の半径方向内側端は該球の直径よりも小さい直径を有する円によって規定されていて、これによって該球の半径方向内方への移動が制限されており、該球を半径方向内方に弾性的に偏倚する弾性偏倚手段が配設されているチャックにおいて、
該孔の各々の半径方向内側端を規定する該円の中心軸線は、該係止突条の周方向中心に対して周方向にα／４度変位せしめられている、ことを特徴とするチャック。
【請求項２】
該係止突条は該αの２倍の角度（２α度）間隔をおいて形成されている、請求項１記載のチャック。
【請求項３】
該ｎは３であり、該スカート壁の外周面には３個の該第一の領域と３個の該第二の領域とが存在し、該第一の領域の各々の延在角度及び該第二の領域の各々の延在角度は全て６０度であり、該αは３度である、請求項２記載のチャック。
【発明の詳細な説明】
【技術分野】
【０００１】
本発明は、容器の口頸部に容器蓋を被嵌し閉方向に回転するための容器蓋装着装置に適用されるチャックに関する。
【背景技術】
【０００２】
下記特許文献１には、円筒形状の口頸部の外周面に雄螺条が形成されている容器のための容器蓋として、円形天面壁とこの天面壁の周縁から垂下する円筒形状のスカート壁を有する合成樹脂製容器蓋が開示されている。スカート壁の内周面には容器の口頸部に形成されている雄螺条に螺合せしめられる雌螺条が形成されている。スカート壁の外周面は、例えば６０度である角度範囲に渡って延在する６個の領域、即ち交互に存在する第一の領域と第二の領域とが夫々３個毎存在する。第一の領域には例えば３度であるα度の角度間隔をおいて軸線方向に延びる多数の突条が形成され、第二の領域には２α度の角度間隔をおいて軸線方向に延びる多数の突条が形成されている。これらの突条は、一般にナールと称されており、スカート壁の外周面に掛けられる指の滑りを防止する等のために配設されている。
【０００３】
上記容器蓋を容器の口頸部に装着する際には、容器蓋を保持するためのチャックを備えた容器蓋装着装置が使用される。最初に、チャックを有するキャッパーヘッドが下降し、チャック内に容器蓋が正常に挿入され、次いでチャックに保持された容器蓋は、容器の口頸部に被嵌され、閉方向即ち上方から見て時計方向に回転せしめられ、容器蓋のスカート壁の内周面に形成されている雌螺条が容器の口頸部の外周面に形成されている雄螺条に螺合せしめられる。容器蓋を保持するためのチャックとしては、下記特許文献２に開示されている形態のものが従来から使用されている。このチャックは、下面が開放された容器蓋収容空間を規定する環状部材から構成されている。環状部材は上方に向かって半径が漸次減少する円錐台形状の係止内周面を有し、この係止内周面には等角度間隔をおいて軸線方向に延びる多数の係止突条が形成されている。環状部材の下部には周方向に等間隔をおいて半径方向に貫通する複数個の孔が形成されていて、孔の各々には半径方向に移動自在に球が配置されており、孔の半径方向内側端は球の直径よりも小さい直径を有する円によって規定されていて、これによって球の半径方向内方への移動が制限されている。孔の各々の中心軸線及び半径方向内側端を規定する円の中心軸線は係止内周面に形成されている係止突条の１個の周方向中心と合致せしめられている。環状部材には球を半径方向内方に弾性的に偏倚する弾性偏倚手段が付設されている。容器蓋は容器蓋収容空間内に収容され、孔から半径方向内方に部分的に突出する球が容器蓋のスカート壁の外周面下部に弾性的に押圧され、これによって容器蓋収容空間内に容器蓋が保持される。チャックを構成する環状部材が閉方向に回転されると、周方向において環状部材の係止突条が容器のスカート壁の外周面に形成されている突条に係止せしめられ、これによって環状部材から容器蓋に所要回転トルクが伝動され、かくして容器蓋の雌螺条が所要トルクで容器の口頸部の雄螺条に螺合せしめられる。
【０００４】
然るに、上述したとおりスカート壁の外周面にはα度の角度間隔をおいて軸線方向に延びる多数の突条が形成されている第一の領域と２α度の角度間隔をおいて軸線方向に延びる多数の突条が形成されている第二の領域が交互に存在する形態の容器蓋に、係止内周面には例えば２α度の角度間隔をおいて軸線方向に延びる多数の係止突条が形成されている形態のチャックを適用すると、次のとおりの問題が発生する。即ち、チャックを構成する環状部材の容器蓋収容空間に容器蓋を収容した時に、環状部材に配設されている複数個の球の１個が容器蓋のスカート壁の外周面における第二の領域に形成されている隣接する２個の突条の中間に位置せしめられると、複数個の球の他の１個が容器蓋のスカート壁の第一の領域に形成されている突条の１個の周方向中心に対向して位置し、スカート壁の第一の領域においては環状部材の係止突条が、スカート壁の外周面に形成されている隣接する２個の突条の間ではなくて、スカート壁に形成されている突条の１個の周方向中心に対向して位置してこれに干渉し、これに起因してスカート壁の第一の領域において容器蓋収容空間内へ容器蓋の進入が阻害され容器蓋が傾動してしまう傾向がある。
【０００５】
下記特許文献３には、上記のとおりの問題を解決するために、球が配置されている孔の各々の半径方向内側端を規定している円の中心軸線を、係止内周面に形成されている係止突条の周方向中心と合致せしめることなく、係止突状の周方向中心に対して周方向に、好適にはα／２度、変位せしめたチャックが開示されている。かようなチャックにおいては、環状部材の容器蓋収容空間に容器蓋が収容された時に、環状部材に配設されている複数個の球の１個が容器蓋のスカート壁の外周面における第二の領域に形成されている隣接する２個の突条の中間に位置せしめられると、スカート壁の外周面における第二の領域のみならずスカート壁の外周面における第一の領域においても、環状部材の係止突条がスカート壁の外周面に形成されている突条の１個の周方向中心に対して周方向に変位して位置し、かくして上記問題の発生が確実に回避される。
【先行技術文献】
【特許文献】
【０００６】
【特許文献１】特許第４９２１０６７号公報
【特許文献２】実開平７−３１６９３号公報
【特許文献３】特許第５０３８９５２号公報
【発明の概要】
【発明が解決しようとする課題】
【０００７】
而して、下記特許文献３に開示されているチャックも未だ充分に満足し得るものではなく、本発明者等の経験によれば、次のとおりの解決すべき問題が存在することが判明した。即ち、環状部材の容器蓋収容空間に容器蓋が収容された時に、通常は複数個の球の１個は第二の領域における２α度の角度間隔で隣接する突条間に位置せしめられるが、偶発的に複数個の球の１個が第一の領域におけるα度の角度間隔をおいて隣接する突条間に位置せしめられることがある。そして、複数個の球の１個が第一の領域におけるα度の角度間隔をおいて隣接する突条間に位置せしめられた場合には、上述した従来のチャックの場合と同様に、スカート壁の第一の領域においては環状部材の係止突条が、スカート壁の外周面に形成されている隣接する２個の突条の間ではなくて、スカート壁に形成されている突条の１個の周方向中心に対向して位置してこれに干渉し、これに起因してスカート壁の第一の領域において容器蓋収容空間内へ容器蓋の進入が阻害され容器蓋が傾動してしまう傾向がある。このような状態で巻き締め工程を行ってしまうと、正常な巻き締め状態を得ることが出来ず、所謂キャッピング不良発生の要因となる。
【０００８】
本発明は上記事実に鑑みてなされたものであり、その主たる技術的課題は、環状部材に配設されている複数個の球の１個が容器蓋のスカート壁の外周面における第二の領域に形成されている隣接する２個の突条の中間に位置せしめられる場合のみならず、複数個の球の１個が第一の領域におけるα度の角度間隔をおいて隣接する突条間に位置せしめられた場合にも、環状部材の係止突条がスカート壁に形成されている突条の１個の周方向中心に対向して位置してこれに干渉することが確実に回避され、かくしてスカート壁の特定の領域において容器蓋収容空間内へ容器蓋の進入が阻害され容器蓋が傾動してしまう傾向が回避乃至抑制される、新規且つ改良されたチャックを提供することである。
【０００９】
本発明者等は、鋭意検討の結果、孔の各々の半径方向内側端を規定する円の中心軸線を、係止突条の周方向中心に対して周方向にα／４度変位せしめることによって、上記主たる技術的課題を達成することができることを見出した。
【００１０】
即ち、本発明によれば、上記主たる技術的課題を達成するチャックとして、円形天面壁と該天面壁の周縁から垂下する円筒形スカート壁とを有し、該スカート壁の内周面には雌螺条が形成され、該スカート壁の外周面は２ｎ個、ｎは２以上の自然数、の領域に区画されていて、第一の領域と第二の領域とが交互に存在し、該第一の領域においてはα度の角度間隔をおいて多数の突条が形成され、該第二の領域においては２α度の角度間隔をおいて多数の突条が形成されている合成樹脂製容器蓋を、容器の口頸部に被嵌し閉方向に回転せしめる容器蓋装着装置に適用されるチャックであって、
下面が開放された容器蓋収容空間を規定する環状部材から構成され、該環状部材は上方に向かって半径が漸次減少する円錐台形状の係止内周面を有し、該係止内周面には等角度間隔をおいて軸線方向に延びる多数の係止突条が形成されており、該環状部材の下部には周方向に等間隔をおいて半径方向に貫通する複数個の孔が形成されていて、該孔の各々には半径方向に移動自在に球が配置されており、該孔の半径方向内側端は該球の直径よりも小さい直径を有する円によって規定されていて、これによって該球の半径方向内方への移動が制限されており、該球を半径方向内方に弾性的に偏倚する弾性偏倚手段が配設されているチャックにおいて、
該孔の各々の半径方向内側端を規定する該円の中心軸線は、該係止突条の周方向中心に対して周方向にα／４度変位せしめられている、ことを特徴とするチャックが提供される。
【００１１】
好適実施形態においては、該係止突条は該αの２倍の角度（２α度）間隔をおいて形成され、そしてまた該ｎは３であり、該スカート壁の外周面には３個の該第一の領域と３個の該第二の領域とが存在し、該第一の領域の各々の延在角度及び該第二の領域の各々の延在角度は全て６０度であり、該αは３度である。
【発明の効果】
【００１２】
本発明のチャックによれば、後に添付図面を参照して更に詳述する如く、環状部材に配設されている複数個の球の１個が容器蓋のスカート壁の外周面における第二の領域に形成されている隣接する２個の突条の中間に位置せしめられる場合のみならず、複数個の球の１個が第一の領域におけるα度の角度間隔をおいて隣接する突条間に位置せしめられた場合にも、環状部材の係止突条がスカート壁に形成されている突条の１個の周方向中心に対向して位置してこれに干渉することが確実に回避され、かくしてスカート壁の特定の領域において容器蓋収容空間内へ容器蓋の進入が阻害され容器蓋が傾動してしまう傾向が回避乃至抑制される。
【図面の簡単な説明】
【００１３】
【図１】本発明に従って構成されたチャックが装備された容器蓋装着装置によって容器の口頸部に装着される容器蓋の典型例を示す正面図。
【図２】図１に示す容器蓋をその一部を断面で示す正面図。
【図３】図１に示す容器蓋の平面図。
【図４】図１に示す容器蓋における突起の断面形状を示す部分断面図。
【図５】本発明に従って構成されたチャックの好適実施形態を示す断面図。
【図６】図５に示すチャックとその容器蓋収容空間に収容された図１に示す容器蓋とを示す断面図。
【図７】容器蓋本体のスカート壁の主部における第二の領域の隣接する突条間に球の１個が位置せしめられた時の、第二の領域を示す図５におけるＡ−Ａ線に沿った断面図。
【図８】容器蓋本体のスカート壁の主部における第二の領域の隣接する突条間に球の１個が位置せしめられた時の、第一の領域を示す図５におけるＡ−Ａ線に沿った断面図。
【図９】容器蓋本体のスカート壁の主部における第二の領域の隣接する突条間に球の１個が位置せしめられた時の、第二の領域を示す図５におけるＢ−Ｂ線に沿った断面図。
【図１０】容器蓋本体のスカート壁の主部における第二の領域の隣接する突条間に球の１個が位置せしめられた時の、第一の領域を示す図５におけるＢ−Ｂ線に沿った断面図。
【図１１】容器蓋本体のスカート壁の主部における第一の領域の隣接する突条間に球の１個が位置せしめられた時の、第二の領域を示す図５におけるＡ−Ａ線に沿った断面図。
【図１２】容器蓋本体のスカート壁の主部における第一の領域の隣接する突条間に球の１個が位置せしめられた時の、第一の領域を示す図５におけるＡ−Ａ線に沿った断面図。
【図１３】容器蓋本体のスカート壁の主部における第一の領域の隣接する突条間に球の１個が位置せしめられた時の、第二の領域を示す図５におけるＢ−Ｂ線に沿った断面図。
【図１４】容器蓋本体のスカート壁の主部における第一の領域の隣接する突条間に球の１個が位置せしめられた時の、第一の領域を示す図５におけるＢ−Ｂ線に沿った断面図。
【図１５】孔の各々の半径方向内側端を規定する該の中心軸線が係止突状の周方向中心に対して周方向にα／４度ではなくてα／２度変位せしめられている形態において、容器蓋本体のスカート壁の主部における第一の領域の隣接する突条間に球の１個が位置せしめられた時の、第一の領域を示す図５におけるＡ−Ａ線に沿った断面図。
【図１６】孔の各々の半径方向内側端を規定する該の中心軸線が係止突状の周方向中心に対して周方向にα／４度ではなくてα／２度変位せしめられている形態において、容器蓋本体のスカート壁の主部における第一の領域の隣接する突条間に球の１個が位置せしめられた時の、第一の領域を示す図５におけるＢ−Ｂ線に沿った断面図。
【発明を実施するための形態】
【００１４】
以下、添付図面を参照して、本発明に従って構成されたチャックの好適実施形態について更に詳述する。
【００１５】
図１乃至図４には、本発明に従って構成されたチャックが装備された容器蓋装着装置によって容器の口頸部に装着される容器蓋の典型例が図示されている。主として図１及び図２を参照して説明すると、全体を番号２で示す容器蓋は容器蓋本体４とライナー部材６とから構成されている。
【００１６】
ポリプロピレン又は硬質ポリエチレンの如き適宜の合成樹脂から圧縮成形又は射出成形することができる容器蓋本体４は、円形天面壁８とこの天面壁８の周縁から垂下する略円筒形状のスカート壁１０とを具備している。スカート壁１０には周方向破断ライン１２が形成されており、スカート壁１０は周方向破断ライン１２よりも上方の主部１４と周方向破断ライン１２よりも下方のタンパーエビデント裾部１６とに区画されている。周方向破断ライン１２は、周方向に間隔をおいて配設された複数個の橋絡部１８を含んでいる。複数個の橋絡部１８以外の領域においては、スカート壁１０の主部１４とタンパーエビデント裾部１６とは切断することによって相互に分離されている。換言すれば、タンパーエビデント裾部１６は複数個の橋絡部１８を介してスカート壁１０の主部１４に接続されている。更に詳述すると、スカート壁１０の内周面には、周方向破断ライン１２よりも幾分上方に位置する、下方を向いた環状肩面２０が形成されている。そして、かかる環状肩面２０から下方に延びる突条２２が周方向に間隔をおいて複数個形成されている。周方向破断ライン１２は、スカート壁１０をその外周面から、上記突条２２の全体又は一部のみを残して切断することによって形成される。主部１０の内周面には雌螺条２４が形成されている。かかる雌螺条２４には、周方向に間隔をおいて軸線方向に延びる切欠２６が形成されている。切欠２６は容器の口頸部が開封される際の所謂通気路を構成する。天面壁８には内面周縁部から垂下する環状突条２８が形成されている。タンパーエビデント裾部１６の内周面上部（上記突条２２の下端よりも若干下方）には、下方を向いた環状肩面３０が形成されている。そして、かかる環状肩面３０よりも下方において、タンパーエビデント裾部１６の内周面には、周方向に等間隔をおいて複数個のフラップ片３２が形成されている。フラップ片３２の各々は、タンパーエビデント裾部１６の内周面に接続された基縁３４から、容器の口頸部に容器蓋２を装着する際の容器蓋２の閉回転方向、即ち図１及び図２において上方から見て時計方向、に対して反対方向に向かって傾斜して半径方向内方に突出せしめられている。フラップ片３２の各々の基縁３４自体も、容器蓋２の上記閉回転方向に対して反対方向に傾斜して下方に延びている。タンパーエビデント裾部１６の下端には、半径方向内側に向かって弧状に延出せしめられている薄肉カール３６が付設されている。
【００１７】
ライナー部材６は、容器蓋本体４の天面壁８の内面と内面周縁部から垂下する環状突条２８とによって規定された空間に配設されている。かかるライナー部材６は、天面壁８の内面に軟化溶融状態の合成樹脂素材を供給し、この合成樹脂素材を押圧工具によって圧縮することによって好都合に形成することができる。ライナー部材６のための合成樹脂素材は、軟質ポリエチレンの如き比較的軟質の合成樹脂であるのが好適である。
【００１８】
図１と共に図３及び図４を参照して説明を続けると、容器蓋本体４のスカート壁１０の主部１４の外周面は、周方向において２ｎ個、ここでｎは２以上の自然数、の領域に区画されている。図示の実施形態においては、スカート壁１０の主部１４の外周面は６個の領域、即ち3個の第一の領域３８と3個の第二の領域４０とに区画されており、第一の領域３８と第二の領域４０とは交互に配置されている。3個の第一の領域３８及び3個の第二の領域４０の周方向延在角度は同一であり、夫々、６０度の角度範囲に渡って延在せしめられている。第一の領域３８の各々にはα度の角度をおいて軸線方向に延びる多数の突条４２が形成されている。突条４２の各々の横断面は略半円形状であるのが好都合である。図示の実施形態においては、角度α度は3度であり、第一の領域３８には２１個の突条４２が形成されている。一方、第二の領域４０の各々には２α度の角度間隔をおいて軸線方向に延びる多数の突条４４が形成されている。図示の実施形態においては、角度２αは６度であり、９個の突条４４が形成されている。突条４４の各々の横断面も略半円形状である。第一の領域３８に形成された多数の突条４２の離間角度と第二の領域４０に形成されておる突条４２の離間角度は異なるが、突条４２の各々の形態と突条４４の各々の形態は実質上同一でよく、突条４２及び突条４４の各々の半径方向突出量ｘは０．３ｍｍ程度であるのが好都合ある。
【００１９】
図２を参照して説明を続けると、図２には容器蓋２が装着される容器の口頸部も二点鎖線で図示されている。ガラス、合成樹脂或いは金属から形成することができる容器の口頸部４６は全体として円筒形状であり、その外周面には雄螺条４８とこの雄螺条４８の下方に位置する環状係止あご部５０とが形成されている。清涼飲料の如き適宜の内容物を容器に充填した後に、口頸部４６に容器蓋２が装着される。この際には、口頸部４６に容器蓋２が被嵌され、容器蓋２が閉回転方向、即ち図２において上方から見て時計方向に回転され、かくして容器蓋本体４における雌螺条２４が口頸部４６の雄螺条４８に螺合せしめられ、容器蓋２は回転に応じて下降せしめられる。容器蓋本体４のタンパーエビデント裾部１６に形成されているフラップ片３２は、弾性的に変形せしめられて口頸部４６の係止あご部５０を通過し、しかる後に弾性的に復元して係止あご部５０に係止せしめられる。容器蓋２が口頸部４６に所要とおりに装着されると、ライナー部材６の周縁部が容器の口頸部４６に密接せしめられ、これによって口頸部４６が密封される。
【００２０】
容器の口頸部４６を開封する際には、容器蓋２を開回転方向、即ち図２において上方から見て反時計方向に回転せしめる。かくすると、容器蓋本体４におけるスカート壁１０の主部１４に形成されている雌螺条２４が容器の口頸部４６に形成されている雄螺条４８に沿って移動せしめられる故に、容器蓋２は回転と共に上昇せしめられる。然るに、容器蓋本体４のタンパーエビデント裾部１６は、その内周面に形成されているフラップ片３２が口頸部４６の係止あご部５０に係止せしめられているので、上方への移動が阻止される。従って、スカート壁１０に配設されている周方向破断ライン１２における橋絡部１８に相当な応力が生成されて橋絡部１８が破断され、タンパーエビデント裾部１６が主部１４から分離される。しかる後においては、タンパーエビデント裾部１６を口頸部４６に残留せしめて、容器蓋２のその他の部分が回転と共に上昇せしめられて口頸部４６から離脱される。
【００２１】
図５には、容器の口頸部４６に容器蓋２を装着して口頸部４６を密封するための容器蓋装着装置に使用される、本発明に従って構成されたチャックの好適実施形態的が図示されている。全体を番号５２で示すチャックは環状部材５４を備えている。この環状部材５４の中央には軸線方向に貫通する貫通開口５６が形成されており、後の説明から明確に理解されるとおり貫通開口５６の下半部が容器蓋収容空間５８を規定している。貫通開口５６はその最下部に位置する導入部６０、中央部６２及び上端部６４を有する。導入部６０の内周面は上方に向かって半径が漸次減少する円錐台形状であり、その傾斜角度θ１は比較的大きく４５度程度である。中央部６２の内周面も上方に向かって半径が漸次減少する円錐台形状であり、その傾斜角度θ２は比較的小さく３乃至５度程度である。上端部６４の内周面は円筒形状である。中央部６２の内周面における略下半部は係止内周面６６を構成し、かかる係止内周面６６には周方向に等角度間隔をおいて多数の係止突条６８が形成されている。隣接する係止突条６８間の角度間隔β度（図９及び図１０）は、容器蓋本体４のスカート壁１０の主部１４における第二の領域４０に形成されている突条４４の角度間隔、即ち２α度、と同一或いはその整数倍である。図示の実施形態においては、β度は２α度と同一であり６度である。係止突条６８の横断面は周方向両側面が凹弧状で全体として略三角形状であるのが好都合である（図７乃至図１０を参照されたい）。
【００２２】
図５と共に図６を参照して説明を続けると、上記係止内周面６６の下端部に対応した位置において、環状部材５４の外周面には周方向に連続して延びる環状溝７０が形成されている。そして、周方向に等角度間隔をおいて環状溝７０の底面（半径方向内側面）から係止内周面６６まで半径方向に貫通する孔７２が形成されている。図示の実施形態においては、６０度の角度間隔をおいて６個の孔７２が形成されている。孔７２の各々の半径方向内側端部は半径方向内方に向かって半径が漸次減少する円錐台形状である。孔７２の各々には球７４が収容されている。球７４の直径は孔７２の主部の直径と実質上同一であり、孔７２の円錐台形状の先端部の直径よりは大きく、チャック５２には孔７２内に収容されている球７４を半径方向内方に弾性的に偏倚する弾性偏倚手段７６も配設されている。図示の実施形態においては、弾性偏倚手段７６は上記環状溝７０に収容された合成ゴム製リングから構成されている。弾性偏倚手段７６は球７４をその一部が容器蓋収容空間５８内に突出した最内側位置（図５に二点鎖線で図示する位置）に弾性的に偏倚する。
【００２３】
図５及び図６と共に図７及び図８を参照して説明すると、本発明に従って構成されたチャック５２においては、孔７２の中心軸線は係止突条６８の周方向中心に対して周方向に変位されており、従って孔７２の半径方向内側端を規定する円の中心軸線及び球７４の半径方向最内側点も係止突条６８の周方向中心に対して周方向に変位されている（従って、チャック５２の係止突状６８の頂点が容器蓋２の突状４２の頂点に干渉することはない）ことが重要である。係止突条６８の周方向中心に対する孔７２の中心軸線の変位方向は、容器の口頸部に容器蓋２を装着する際の容器蓋２の回転方向、即ち図６において上方から見て反時計方向、或いは容器の口頸部に容器蓋２を装着する際の容器蓋２の回転方向に対して反対方向、即ち図６において上方から見て時計方向のいずれでもよい。一方、変位角度γは突条４２の離隔角度である上記αの４分の１(α／４度)であることが重要である（その理由は後述する）。
【００２４】
容器蓋２を容器の口頸部４６（図２）に装着する際には、例えば所定位置に配置されている容器蓋２に対してチャック５２が下降されて、図５に明確に図示する如く、容器蓋2の相当部分、即ち周方向破断ライン１２（図１及び図２）よりも幾分上方の部位から上方の部分、がチャック５２の容器蓋収容空間５８内に収容される。この際には、円錐台形状の内周面を有する導入部６０の案内作用によってチャック５２に対して容器蓋２が同心状に位置つけられる。チャック５２の下降に応じて容器蓋２が容器蓋収容空間５８内に漸次進入せしめられると、係止内周面６６の下端部に配設されている複数個の球７４が弾性偏倚手段７６の偏倚作用に抗して半径方向外方に変位せしめられる。容器蓋２は図５に二点鎖線で示す収容位置まで容器蓋収容空間５８内に進入せしめられ、複数個の球７４が容器蓋本体４のスカート壁１０の主部１４の外周面に弾性的に押圧されることによって図５に図示する収容位置に弾性的に保持される。チャック５２に保持された容器蓋２はチャック５２と共に移動せしめられて容器の口頸部４６（図２）に被嵌され、そしてチャック５２と共に回転されて口頸部４６に装着される。
【００２５】
容器蓋２がチャック２の容器蓋収容空間５８内に進入せしめられる際には、通常、図示する如く、容器蓋本体４のスカート壁１０の主部１４における第二の領域４０に形成されている突条４４の半径方向先端部とチャック５２に配設されている球７４の突出表面との相互干渉作用によって環状部材５４に対して容器蓋２が相対的に中心軸線を中心として若干回転せしめられ、球７４の幾つかは隣接する突条４４間に位置する。然るに、本発明に従って構成されたチャック５２においては、孔７２の中心軸線は係止突条６８の周方向中心に対して周方向にγ度（即ちα／４度）だけ変位されている故に、図９に図示する如く、第二の領域４０において係止突条６８の各々は隣接する２個の突条４４間の周方向中央ではなくて周方向にγ度だけ変位した部位に位置する。そして、容器蓋本体４のスカート壁１０の主部１４における第一の領域３８に関しては、図８に図示する如く、球７４はその最内側点を突条４２の周方向中心に合致せしめて位置するが、図１０に図示する如く、係止突条６８の各々は突条４２の周方向中心に対してγ度だけ変位して位置する。従って、係止突条６８が突条４２に対向して位置して突条４２に干渉することが確実に回避される。
【００２６】
本発明者等の経験によれば、容器蓋収容空間５８内に容器蓋２が進入する際に、球７４の幾つかが第二の領域４０における隣接する突条４４間ではなくて、第一の領域３８における隣接する突条４２間に位置することもある。然るに、本発明に従って構成されたチャック５２においては、孔７２の中心軸線は係止突条６８の周方向中心に対して周方向にγ度（即ちα／４度）だけ変位されている故に、球７４の幾つかが第一の領域３８における隣接する突条４２間に位置した場合にも、係止突状６８の各々は、図１１及び図１３に図示する如く、第二の領域４０において突条４４に対向することなく周方向に変位して位置し、そしてまた図１２及び図１４に図示する如く、第一の領域３８においても突条４２に対して対向して位置することなく周方向にγ度（即ちα／４度）変位して位置する。従って、係止突条６８が突条４２及び４４に干渉することが回避乃至抑制される。周方向変位角度γがα／４度よりも大きくなる或いは小さくなるに従って、係止突条６８が突条４２及び／又は４４に部分的に干渉するようになる。そして、周方向変位角度γがα／２度になると、図１５及び図１６に図示する如く、係止突条６８が突条４２に対向して位置しこれに干渉することになる。
【００２７】
容器の口頸部４６に被嵌された容器蓋２を閉方向に回転せしめるためにチャック５２を閉方向に回転せしめると、チャック５２の係止突条６８が容器蓋２の突条４２並びに突条４４の基部片側縁に係合し、しかる後においてはチャック５２の係止突条６８から容器蓋２の突条４２並びに突条４４に回転トルクが伝動され、チャック５２と共に容器蓋２が回転せしめられる。
【符号の説明】
【００２８】
２：容器蓋
４：容器蓋本体
６：ライナー部材
８：天面壁
１０：スカート壁
１２：周方向破断ライン
１４：スカート壁の主部
１６：タンパープルーフ裾部
２４：雌螺条
３８：第一の領域
４０：第二の領域
４２：突条
４４：突条
４６：容器の口頸部
４８：雄螺条
５２：チャック
５４：環状部材
５８：容器蓋収容空間
６６：係止内周面
６８：係止突条
７２：孔
７４：球
７６：弾性偏倚手段
【図１】
2016088530.tif 000003
【図２】
2016088530.tif 000004
【図３】
2016088530.tif 000005
【図４】
2016088530.tif 000006
【図５】
2016088530.tif 000007
【図６】
2016088530.tif 000008
【図７】
2016088530.tif 000009
【図８】
2016088530.tif 000010
【図９】
2016088530.tif 000011
【図１０】
2016088530.tif 000012
【図１１】
2016088530.tif 000013
【図１２】
2016088530.tif 000014
【図１３】
2016088530.tif 000015
【図１４】
2016088530.tif 000016
【図１５】
2016088530.tif 000017
【図１６】
2016088530.tif 000018